(57)【要約】      （修正有）【課題】温泉再生機能付２４時間循環温水器を改良して天然の湯治温泉を再生し、再生した温泉は捨てずに有効利用し、２４時間いつでもいい湯加減で湯治できるようにし、器・釜・浴槽・用具・浴室・浴槽の湯の清潔を保持する家庭風呂に設置される２４時間循環温水器を提供する。【解決手段】循環温水器であって、浴槽２０の湯を吸込口７からホース８へ吸い込み、活性化装置９で活性化し、ミネラル鉱石４、５、６を内蔵した濾過槽１，２，３でミネラル鉱石を溶入してホースを介して活性化装置１８で再度活性化され、吐出し口１９から浴槽に戻される。【選択図】図１
2016077851.tif 000002
【特許請求の範囲】
【請求項１】
温泉再生機能付２４時間循環温水器であって、ミネラル鉱石３種４、５、６を▲濾▼過槽１  ２、３に内蔵するとともに、活性化装置９を吸水ホース８に、活性化装置１８を吐出ホース１７に装置することを特徴とする。「家庭風呂改良セットあったらいいな」
【発明の詳細な説明】
【技術分野】
【０００１】  本発明は、家庭風呂に設置される２４時間循環温水器に関する。
【背景技術】
【０００２】  従来、２４時間循環温水器の中の温泉再生機能付２４時間循環温水器は、単に成分を内蔵し、湯に溶かし込むだけのものである。【０００３】  温泉再生機能は、成分を溶入して、浴槽内を温泉化するものである。特に、一般的に期待されるのが、温泉効果を実感することであるが、これは、内蔵している成分が温泉の成分構成と同じであり、体内へ浸透し、作用する場合のみ、実感できるものであり、温泉再生機能が、積極的に、温泉効果まで再生する機能を有している訳ではない。【０００４】  なお本願発明に関連する公知技術として、次の特許文献  及び非特許文献  を挙げることができる。【０００５】
【特許文献】特開２００−          号公報
【非特許文献】「        （文献名）」    第    頁〜第    頁
【発明の開示】
【発明が解決しようとする課題】
【０００６】  上述の如く、従来の温泉再生機能付２４時間循環温水器は、それぞれの温泉の成分を、工夫をこらして内蔵し、溶かし込み、温泉を再生する機能であり、温泉再生機能が積極的に、温泉効果まで再生する訳ではないので、この温泉再生機能を用いても、それだけでは十分な温泉効果は得られず、温泉効果を実感するのは難かしい。【０００７】  このため、家庭風呂では、温泉は無理と思われがちであり、多くの期待を裏切ることになり、温泉効果を望む人は、温泉地に出かけてしまうのが現状である。【０００８】  本発明は、このような点に鑑みて成されたものであり、その目的は、温泉再生機能付２４時間循環温水器に、ミネラル鉱石を１種類追加、３種類内蔵し、温泉効果を実感する泉質にするとともに、維持費無料、ノーメンテナンス、半永久耐用の活性化装置を装置し、活性化機能を持たせることで、安価且つ容易に、温泉効果を実感できるようにすることにある。
【課題を解決するための手段】
【０００９】  上述の目的を達成する本発明の２４時間循環温水器は、温泉再生機能を有する温泉再生機能付２４時間循環温水器であって、温水器内の▲濾▼過槽に、ミネラル鉱石を、１種類追加し、３種にして内蔵されるとともに、前記活性化装置を、ホースに装置されたことを特徴とする。【００１０】  一例として、前記活性化装置は、ホースに装置される。好適には、前記活性化装置は、１ヶ所でなく２ヶ所に装置される。
【発明の効果】
【００１１】  以上説明したように、本発明によれば、温泉再生機能付２４時間循環温水器に、成分であるミネラル鉱石を３種類にし、溶入するようにした。成分を好適なものにしたので、維持費無料、ノーメンテナンス、半永久耐用の活性化装置を装置し、浸透性を高めることが可能になる。この温泉再生機能付２４時間循環温水器を、例えば、湯治用に用いることで安価且つ容易に、現代の複雑、多忙、環境悪化、多種多様、急速な変化などから発生する心身の疲れやトラブルをいやしながら生活や仕事ができるなどに極めて有効である。
【発明を実施するための最良の形態】
【００１２】  以下、本発明の実施の形態を図面に基き詳細に説明する。【００１３】  図１、図２は、本発明の実施の形態に係り、図１は、その本発明の実施後の外観斜視図図２は、本発明実施前の外観斜視図である。【００１４】
2016077851.tif 000003
槽１、２、３に、ミネラル鉱石３種４、５、６を内蔵。循環水流のみで、自然のまま溶入する方法で、浴槽内を再生温泉にするものである。【００１５】
2016077851.tif 000004
鉱石４、５、６を内蔵し、浴槽２０の湯を吸込口７からホース８へ吸込み、活性化装置９の通過時に活性化される。各機能１０、１１、１２、１３、１４、１５、１６の働きを受
2016077851.tif 000005
すすみ、活性化装置１８で、再度、活性化され、吐出し口１９から浴槽２０へ戻る。２１、２２、２３の機能の働きも受ける。この循環が、２４時間１５０回継続するシステムである。【００１６】
2016077851.tif 000006
石４、５を内蔵し、浴槽２０の湯を、吸込口からホースへ吸い込む。各機能１０、１１、
2016077851.tif 000007
４、５を溶入しながら、ホース１７へすすみ、吐出口１９から浴槽２０へ戻る。この循環が２４時間１５０回続くシステムである。【００１７】  本発明は、図１、図２が示すように、本発明実施前に（図１）、ミネラル鉱石６と、活性化装置９、１８を追加するものである。ミネラル鉱石を３種に変えたこと、活性化装置９、１８を採用したこと、装置数、装置場所、装置の型式など、試行錯誤を繰返し、決定したものである。【００１８】  本発明の実施後（図１）と実施前（図２）の各種機能について、違いを説明する。【００１９】  本発明に係る温水器の各機能は、２４時間循環機能１０、温水機能１１、制菌、淨化機能１２、温水再生機能１３、マイコン制御機能１４、安全機能１５、省エネ、エコ機能１６、安心機能２１、湯治機能２２、活性化機能２３の１０機能である。【００２０】  ２４時間循環機能１０は、本発明実施前は、１日中、いつでも入浴できるが燃費がかかってもったいない程度の認識にすぎなかった。本実施後は、全機能がそれぞれにとって、不可欠の機能である。浴槽の汚れた湯を吸収し続け、清潔で浸透性の高い湯に蘇らせ浴槽に戻し続け、湯質を維持継続する。湯の成分は、体への浸透や使用水などで減るが、２４時間新しく溶入し続け、泉質を維持する。心身のトラブルや疲れが発生都度、湯治できるように、２４時間いい湯加減、清潔を維持する。など、維持、継続するのに役立つ。【００２１】  温水機能１１は、活性化装置９、１８により、燃費が安くなり、湯も冷めにくくなる。【００２２】  制菌、淨化機能１２は、フィルター、天然石、抗菌剤、殺菌灯、浴槽の湯の入れ替え、毎日の掃除などと、手をつくしてきたが、活性化装置９、１８を装置したことにより、安価且つ容易に清潔を維持できるようになり、コストも手間も減る。活性化装置は物理的に酸化殺菌、スケール、赤カビの予防、除去、カビ、ヌメリ、臭いの予防、除去などを常時行ってくれるようになる。【００２３】  温泉再生機能１３は、ミネラル鉱石４、５、６を、３種にしたことと、活性化装置９、１８を追加したことにより、簡單且つ容易に、温泉を再生する。【００２４】  マイコン制御機能１４は、現代の仕事や生活にマッチした家庭風呂の誕生で、利用頻度が増し、重要度が増す。【００２５】  安全機能１５は、８重の安全機能により、安全を確保してきたが、ますます重要度が増す。【００２６】  省エネ、エコ機能１６は、省エネポンプ、節水などだったが、活性化装置９、１８を追加することによって、燃費が安くなる。湯の入れ替え不要で足し水のみで節水で水費減る。掃除水減。設備、機器、用具長持ち。薬品、洗剤不要で経費減などになる。【００２７】  安心機能２１は、活性化機能２２により、清潔な器、管、釜を通過し、清潔な浴槽に、清潔な湯が満ちる。湯は、最小のクラスター状態を維持している。そのため、浸透性を高く維持しており、浸透力、溶解力、洗淨力、滅菌力、熱伝導力、湯治力、まろやか度は高い。それにより、健康効果、美容効果、ストレス解消効果も高い。物理的処理により安心。【００２８】  湯治機能２２は、ミネラル鉱石２種類４、５を３種類４、５、６にするとともに、活性化装置９、１８を装置したことにより、湯治力を実感できる好適なものになる。【００２９】  活性化装置２３は、活性化装置内で、湯水の分子の結合（Ｈ２Ｏ）を、強力な電場で、ＯとＨに切断する。切断されたＯは、活性酸素を生成し、酸化殺菌で雑菌、有機物を死滅させる。Ｈは、炭酸カルシウム核を生成し、スケール、赤サビなど予防、防止、除去する。水素結合を破壊し、カビ、ヌメリ、臭いなど流出させる。大きいクラスターを、小さいクラスターにし続ける。【００３０】  活性化機能２３は、湯を最小のクラスターにし続ける。そのため、浸透性が高い状態が維持される。浸透力、溶解力、洗淨力、滅菌力、熱伝導力、湯治力、まろやか度も高く維持する。浸透性が高いと、ミネラルは、体の奥深く細胞を通過でき、細胞を活性する。すると、細胞は、体温を上げ、血流を促進する。すると、恒常性機能や自然治癒機能が活発に働き出す。あらゆるトラブルに対応する。【００３１】  活性化機能２３で生成される最小のクラスターは、本来の美しい六角形の姿に蘇り、本来のすぐれた働きをする。接触するすべてのものの汚れに浸透し、溶解し、洗淨する。スケール、サビにも浸透し、軟化、排出、生成を抑制、腐食をとめたりもする。酸化殺菌も。いつも清潔な設備機器は長持ちする。ものは勿論、心も体も活性化する。【００３２】  本発明に係る３種類のミネラル鉱石４、５、６について説明する。【００３３】  ミネラル鉱石４は、湯治力で評判の高い天然温泉が流出し、空氣にふれ、石状に固った温泉である。水に溶け易く、体内へ浸透しやすい温泉の固りである。再生に適している。運搬可能な珍しい温泉である。全世界の家庭に温泉をわかせる貴重な温泉である。たくさんの体験事実、成人病の最高権威者、サッポロテレビが明らかにし、医師、科学者が卒直に認めている「めざましい治癒効果がある」固形温泉である。【００３４】  ミネラル鉱石５は、恐竜時代の２万５千種もの物質の固まりである。多種のミネラルも含有している。水質調整（Ｐ、Ｈ７．４）の働きを持つ物質は、ミネラル４、５、６の体内への浸透を容易にする。強い吸着力をもつ物質は、体内の有害物質をぐいぐい引出す。上記ミネラル鉱石４の体を暖めて血流を促進する働きをも借りて排出を促進する。又表面積が広いので、好氣性バクテリアをたくさん住まわせることができ、淨化に役立つ。【００３５】  ミネラル鉱石６は、必須１６元素を含む７２種の海洋ミネラルの石状の固りであり、人体の吸収がよいといわれる。【００３６】  ミネラル鉱石４、５、６は、活性化装置９、１８により、体内への浸透力を高め、目的を達成する。
【実施例】
【００３７】  本発明より、五分浴が可能になったので、説明する。【００３８】  ５分浴は、本発明による風呂だけが可能である。５分浸かるだけで入浴の目的を全てクリヤーできる入浴法である。この風呂の長所を１００％活かせる入浴法である。その訳は、２４時間わいている内湯である。すぐ芯まで暖まり、湯冷めしない。短時間で良いので多忙な生活や仕事や体調に影響しない。何回でいつでも可能である。など現代のニーズにも合っている。【００３９】  ５分浴の過程を記載する。【００４０】  準備については、本物の湯治温泉が、我が家にわいていていつでも湯治できる。器、管釜、浴槽、浴室を清潔にしていつも待っていてくれる。いつもいい湯加減。準備なしで、何回でも浸かれる。【００４１】  １分浸かると、あ〜いい氣持。つらいこととけ出す〜。まろやかな湯がじ〜んと全身にしみわたる。いい刺激だね。これがいいみたい。免疫力アップにもね。【００４２】  ２分浸かると−浸かるだけで毛穴の老廃物を除去してもらえる。自然のままのミネラルが体内へ。細胞膜通過。【００４３】  ３分浸かると−細胞が刺激され、体温を上げ、血流を促進。恒常性機能や自然治癒機能が活発になる。あらゆることに対応してくれ、何でもいやしてくれるみたい。【００４４】  ４分浸かると−元氣快復、氣分一新、疲れ、痛み、悩みなど忘れてる。５分だから、湯疲れ、血圧のこと、体調のことなどは、心配少ない。【００４５】  ５分浸かると−後仕末は足し水だけでよい。湯冷めしないからすぐ行動でき、意欲もわく。温水器が次の入浴時までに湯を清潔にしておいてくれる。【００４６】  ５分浴の特徴について記載する。【００４７】  今は、時代の変り目、今とこれからの狹間で、政治も、経済も、生活も、仕事も、試行錯誤状態でつらいことが多い。今はつらいことをやわらげる簡單で便利、誰にも受け入れられ、喜こばれるものが必要で、どこの家庭にもある風呂を活用する。【００４８】  今は、心も体も疲れる。今の疲れは、理解しがたいものが多い。自然に頼るのが一番。古来から続いている湯治がいい。湯治なら、害がなく、安心して、毎日利用できる。【００４９】  湯治のできる内湯である。掃除、管理が楽。現代の生活や仕事にマッチした使い勝手のよいもの。喜んで積極的に活用したくなるもの。はまってしまうもの。【００５０】  「めざましい治療効果がある」と認められている天然温泉と、すぐれた活性化機能をもつ活性化装置をドッキングさせ、５分浸かるだけの簡單な方法で、疲れたらすぐ、疲れる前に浸かり、ひどくしない方法で、いつも達者で働けるのを目的にする。【００５１】  ５分浴を、１日何回もすることで、恒常性機能や自然治癒機能の活発な働きを継続させることができる。入浴時のすぐ暖まるを利用して、体温を１〜２°急激に上げ、熱ショックで、蛋白質ＨＳＰが細胞を強化する方法で、免疫力をアップできる。現代の理解しがたいアルツファイバーや自閉症といわれるものも、軽いショックを何回も体験することで、予防できると思われる。何でも少しづつ毎日をもっとうに、いつのまにか元氣している自分に氣づくというのがこの入浴法の特徴である。【００５２】  社会的には、育つ・学ぶ・働く・老いるというくらしの中で、医療費・子育て費��介護費など、社会的費用が減少し、その分社会に流通し、冨をふやす。子供はすくすく育ち元氣・若い人は未来に向って活躍、中年の人は世の中をひっぱる。高年の人は達者で知恵を役立てる、そんな社会だと、活氣のある生活や仕事へとつながり、活氣にみちる。
家庭的には、家計・家事が楽になり、節約・支出減・収入増につながり、元氣で、育ち、働き、老いることができ、家族みんながやりたいことを精一杯やる積極的な生活になる。【００５３】  ５分浴はこんな時に―朝一番・ねる前・がんばりすぎちゃった・心身の不調の時・痛い・疲れた・仕事や外出の前後・冷え・暑い時・寒い時・つらい・ストレスいっぱい・頭の回転の悪い時・いつでも・何回でも・【００５４】  ５分浴は、こんな人に―ひきこもりがち・なんとなく不調・自宅で療養している・うつといわれてしまった・免疫力アップしたい・悩みごとが絶えない・更年期障害中・ストレスいっぱい・知療しながら仂いている・不平不満が絶えない・不眠症に悩んでいる・つらいことが多い・がんばりすぎている・環境悪化・足腰がつらい・経営者・疲れる・温泉大好き・散歩できない・ボケたくない・冷え症・ねたきりになりたくない・精一杯働きたい・仕事がつらい・お風呂掃除がつらい・子育て・勉強・美容・介護・赤ちゃんなど。
【産業上の利用可能性】
【００５５】  本発明は、１家庭１つはある家庭風呂を対象とするものであるから、温水器の製造販売・活性化装置の製造・販売の産業分野が活性する。それにとどまらず、子供から老人まで元氣で行動的になるから、多くの産業の利用が増え可能性が広がり続ける。グローバルには、浴槽・水道・電氣・排水設備が揃えば世界中に広めることができ、平和的産業として発展できる。ミネラル鉱石の取り合わせは、溶入方法を変えることで、飲料水などにも利用が可能で、産業の利用の可能性がある。
【図面の簡単な説明】
【００５６】
【図１】本発明実施後の温泉再生機能付２４時間循環温水器の外観斜視図である。
【図２】本発明実施前の温泉再生機能付２４時間循環温水器の外観斜視図である。
【符号の説明】
2016077851.tif 000008
４、５、６    ミネラル鉱石      １１    温水機能
７、          吸込口            １２    制菌・淨化機能
８、１７      ホース            １３    温泉再生機能
９、１８      活性化装置        １４    マイコン制御機能
１９          吐出口            １５    安全機能
２０          浴槽              １６    省エネ・エコ機能
２１    安心機能
２２    湯治機能
２３    活性化機能
【図１】
2016077851.tif 000009
【図２】
2016077851.tif 000010
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
２４時間循環温水器にあって、濾材を内蔵するとともに、活性化装置を装置することを特徴とする「温泉再生温水器」。
【請求項２】
前記濾材は、天然のままの石状の石灰華、医王石、麦飯石の三種であるが、個有に特定したセットであることを、特徴とする請求項１記載の「温泉再生温水器」。
【請求項３】
前記活性化装置は、磁氣による活性化装置であるが、吸水ホース及び吐出しホースの２ヶ所に、装置する。装置は、同じ位置に並でいることを特徴とする請求項１記載の「温泉再生温水器」。
【手続補正３】
【補正対象書類名】明細書
【補正対象項目名】００３６
【補正方法】変更
【補正の内容】
【００３６】  濾材ミネラルは、自然のままの石状のものを、濾材槽に内蔵し、循環水のみで、自然のまま溶け込ませるとともに、活性化装置で活性化される。浴槽に流入すると、泉質の良い天然温泉の成分と称される。
体に浸透し、生命体の自然の営みを促す。
石灰華４は、二股石灰華を記載しているが、日本各地、アメリカなど外国にも、湯治で有名な石灰華ができる温泉が存在し、本発明に用いることができる。
麦飯石５は、一般に知られているものである。このセットに加えたが、この発明の場合、石灰華４と医王石６の二つのセットでも、同等の効果が得られるものである
医王石６は、古くより使われているものである。このセットに加えたことで、湯治力を実感できるようになる。
この三種のセットは、本発明だけの個有のものである